(57)【要約】【課題】筐体の外表面に付着する液滴の滴下を安価に効率よく安定に防止出来る液滴下防止装置とこの液滴下防止装置を用いた抄紙機を提供する。【解決手段】筐体の側面に付着する液滴の滴下を防止する液滴下防止装置とこの液滴下防止装置を用いた抄紙機において、前記側面に設けられ鉛直方向に直交する方向に気体を噴射して前記液滴を微粒化する微粒化手段を具備したことを特徴とする液滴下防止装置とこの液滴下防止装置を用いた抄紙機である。【選択図】        図１
2005013961.tif 000002
【特許請求の範囲】
【請求項１】
筐体の側面に付着する液滴の滴下を防止する液滴下防止装置において、
前記側面に設けられ鉛直方向に直交する方向に気体を噴射して前記液滴を微粒化する微粒化手段を具備したことを特徴とする液滴下防止装置。
【請求項２】
前記微粒化手段は、前記筐体に設けられ気体が導入されるパイプと、
このパイプの先端開口部と隙間を保って直交して設けられた偏向板とで構成されたことを特徴とする請求項１記載の液滴下防止装置。
【請求項３】
前記微粒化手段は、前記筐体の下端の側面に設けられたことを特徴とする請求項１又は請求項２記載の液滴下防止装置。
【請求項４】
前記微粒化手段に供給する気体は空気であることを特徴とする請求項１乃至請求項３の何れかに記載の滴下防止装置。
【請求項５】
前記微粒化手段とこの微粒化手段に気体を供給する気体供給手段との間に気体を溜める気体溜手段が設けられたことを特徴とする請求項１乃至請求項４の何れかに記載の滴下防止装置。
【請求項６】
前記筐体はセンサケースとこのセンサケースに鉛直方向に取り付けられたフードとを有し、前記微粒化手段はこのフードの開口端部分に設けられたことを特徴とする請求項１乃至請求項５の何れかに記載の液滴下防止装置。
【請求項７】
前記請求項１乃至請求項６の何れかに記載の液滴下防止装置がウエット部分の上方に配置されたことを特徴とする液滴下防止装置を用いた抄紙機。
【発明の詳細な説明】
【０００１】
【発明の属する技術分野】
本発明は、筐体の側面に付着する液滴の滴下を安価に効率よく安定に防止出来る液滴下防止装置とこの液滴下防止装置を用いた抄紙機に関するものである。
【０００２】
【従来の技術】
図７は、従来より一般に使用されている従来例の構成説明図で、抄紙機の構成説明図である。例えば、特開２００２−１３８３８４、図１に示されている（例えば、特許文献１参照。）。
【０００３】
抄紙機Ｍのウエット部分は、その性質上、湿度の高い雰囲気中に置かれている。
この抄紙機Ｍの各工程中に、工程の状態を計測する、計測のセンサ、例えば、ウエット地合計のカメラを設置しようとすると、カメラが入れられた筐体外表面に液滴が付着し、付着した液滴が滴下し、紙製品を駄目にする。
【０００４】
これを、防止するには、水滴が落ちないように蒸気ヒータ等で筐体表面の温度を上昇させ、水滴を蒸発させることが採用される。
【０００５】
【特許文献１】
特開２００２−１３８３８４号（第４頁、第１図）
【０００６】
【発明が解決しようとする課題】
しかしながら、このような装置においては、以下の問題点がある。
（１）筐体表面の汚れとともに水滴が蒸発しにくくなり、水滴が落下しはじめ、紙製品を駄目にする。
（２）蒸気ヒータの熱によって装置全体の温度が高くなり、センサとの断熱構造が必要となる。
（３）比較的装置全体が大型になる。
【０００７】
本発明の目的は、上記の課題を解決するもので、筐体の表面の汚れが進行しても、有効に水滴を微粒化して、水滴の落下を防止し、断熱構造が不要となり、装置の小型化が図れ、安価な液滴下防止装置とこの液滴下防止装置を用いた抄紙機を提供することにある。
【０００８】
【課題を解決するための手段】
このような目的を達成するために、本発明では、請求項１の液滴下防止装置においては、
筐体の側面に付着する液滴の滴下を防止する液滴下防止装置において、
前記側面に設けられ鉛直方向に直交する方向に気体を噴射して前記液滴を微粒化する微粒化手段を具備したことを特徴とする。
【０００９】
本発明の請求項２においては、請求項１記載の液滴下防止装置において、
前記微粒化手段は、前記筐体に設けられ気体が導入されるパイプと、このパイプの先端開口部と隙間を保って直交して設けられた偏向板とで構成されたことを特徴とする。
【００１０】
本発明の請求項３においては、請求項１又は請求項２記載の液滴下防止装置において、
前記微粒化手段は、前記筐体の下端の側面に設けられたことを特徴とする。
【００１１】
本発明の請求項４においては、請求項１乃至請求項３の何れかに記載の液滴下防止装置において、
前記微粒化手段に供給する気体は空気であることを特徴とする。
【００１２】
本発明の請求項５においては、請求項１乃至請求項４の何れかに記載の液滴下防止装置において、
前記微粒化手段とこの微粒化手段に気体を供給する気体供給手段との間に気体を溜める気体溜手段が設けられたことを特徴とする。
【００１３】
本発明の請求項６においては、請求項１乃至請求項５の何れかに記載の液滴下防止装置において、
前記筐体はセンサケースとこのセンサケースに鉛直方向に取り付けられたフードとを有し、前記微粒化手段はこのフードの開口端部分に設けられたことを特徴とする。
【００１４】
本発明の請求項７の液滴下防止装置を用いた抄紙機においては、
前記請求項１乃至請求項６の何れかに記載の液滴下防止装置がウエット部分の上方に配置されたことを特徴とする。
【００１５】
【発明の実施の形態】
以下図面を用いて本発明を詳しく説明する。
図１は本発明の一実施例の要部構成説明図、図２は図１の側面図、図３は図１の下面から見た下面図、図４は図１のＡ−Ａ断面図、図５は図１の要部詳細説明図、図６は図１の動作説明図である。
図において、図７と同一記号の構成は同一機能を表す。
以下、図７と相違部分のみ説明する。
【００１６】
微粒化手段１１は、筐体１２の側周面に設けられ、液滴Ａを微粒化する。
この場合は、図５に示す如く、微粒化手段１１は、筐体１２の側周面に設けられたスリット１１１が使用されている。
この場合は、微粒化手段１１は、筐体１２に設けられ気体が導入されるパイプと、このパイプの先端開口部と隙間１１２を保って直交して設けられた偏向板１１３とで構成されている。
この場合は、パイプは、フード１２２内を気体が通り、パイプを実質的に構成する
【００１７】
なお、微粒化手段１１は、筐体１２の側周面に設けられた小穴で構成されるノズル１１１が使用されても良い。
微粒化手段１１は、この場合は、筐体１２の下端の側周面に設けられている。
【００１８】
また、スリット１１１から鉛直方向に直交した方向に、気体が噴射されるようにされている。
【００１９】
この場合は、筐体１２はカメラケース１２１と、このカメラケース１２１に鉛直方向に取り付けられたフード１２２とを有し、図４に示す如く、微粒化手段１１は、フード１２２の下端に取り付けられており、図３に示す如く、内側方向１２３と外側方向１２４の２方向に気体が噴射される。黒丸で微粒化手段１１の噴射位置を示す。
微粒化手段１１は、このフード１２２の開口端部分に設けられている。
【００２０】
なお、Ｂは、カメラケース１２１内に配置されたウェット地合計を構成するカメラである。
Ｃは、紙表面を示す。従って、液滴下防止装置は、従来例に示されている抄紙機Ｍのウエット部分の上方に配置されている。
【００２１】
図４に示す如く、気体供給手段１３は、微粒化手段１１に気体を供給する。
この場合は、気体供給手段１３が供給する気体は、空気である。
図４に示す如く、気体供給手段１３は、空気源（図示せず）から、カメラケース１２１内の空気パイプ１３１を通り、フード１２２内を通り、フード１２２の開口端部分で、微粒化手段１１に接続される。
【００２２】
図５に示す如く、微粒化手段１１と気体供給手段１３との間に、気体を溜める気体溜手段１４が設けられている。
【００２３】
以上の構成において、図６に示す如く、装置壁面の水滴Ａが集まり落下する部分に、この場合は、筐体１２の下端の側周面に、スリット１１１から気体を噴射して、高速の空気の流れＤをつくり、これと、落下しようとしている水滴Ａとが相互作用を起こすことにより、水滴を微粒化Ｅする。
【００２４】
この結果、
簡潔な構成により、小型化が図れ、安価な液滴下防止装置が得られる。
筐体表面の汚れの進行に影響されること無く、安定した液滴下防止処理ができる液滴下防止装置が得られる。
【００２５】
微粒化手段１１は、筐体１２の側周面に設けられたスリット１１１が使用されたので、筐体１２の側周面の全周に亙り微粒化手段１１を配置する事が出来る液滴下防止装置が得られる。
【００２６】
微粒化手段１１は、筐体１２の側周面に設けられたノズル１１１が使用されれば、筐体１２の必要箇所のみに、あるいは、必要箇所に密度濃く配置でき、微粒化手段１１の配置の自由度が高い液滴下防止装置が得られる。
【００２７】
ノズル１１１は、筐体１２に穴をあけることにより容易に、安価な液滴下防止装置が得られる。
ノズル１１１は、直径が容易に変えられ、気体の噴射速度を容易に調節できる液滴下防止装置が得られる。
【００２８】
微粒化手段１１は、筐体１２の下端の側周面に設けられたので、液滴Ａの滴下を確実に防止できる液滴下防止装置が得られる。
【００２９】
気体供給手段１３が供給する気体が空気であるので、空気源は容易に得られ易く、安価な液滴下防止装置が得られる。
【００３０】
微粒化手段１１とこの微粒化手段に気体を供給する気体供給手段１３との間に、気体を溜める気体溜手段１４が設けられたので、気体の噴射を均等に、より高速に噴射することが出来、機能向上が容易な液滴下防止装置が得られる。
【００３１】
微粒化手段１１は、筐体１２はカメラケース１２１と、このカメラケース１２１に鉛直方向に取り付けられたフード１２２とを有し、このフード１２２の開口端部分に設けられたので、カメラＢの撮影機能を妨げることなく、液滴Ａの滴下を容易に防止できる液滴下防止装置が得られる。
【００３２】
液滴下防止装置がウエット部分の上方に配置されたので、紙製品を駄目にすることを防止できる液滴下防止装置を用いた抄紙機が得られる。
【００３３】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００３４】
【発明の効果】
以上説明したように、本発明の請求項１、請求項２によれば、次のような効果がある。
簡潔な構成により、小型化が図れ、安価な液滴下防止装置が得られる。
筐体表面の汚れの進行に影響されること無く、安定した液滴下防止処理ができる液滴下防止装置が得られる。
【００３５】
本発明の請求項３によれば、次のような効果がある。
微粒化手段は、筐体の下端の側面に設けられたので、液滴の滴下を確実に防止できる液滴下防止装置が得られる。
【００３６】
本発明の請求項４によれば、次のような効果がある。
気体供給手段が供給する気体が空気であるので、空気源は容易に得られ易く、安価な液滴下防止装置が得られる。
【００３７】
本発明の請求項５によれば、次のような効果がある。
微粒化手段とこの微粒化手段に気体を供給する気体供給手段との間に、気体を溜める気体溜手段が設けられたので、気体の噴射を均等に、より高速に噴射することが出来、機能向上が容易な液滴下防止装置が得られる。
【００３８】
本発明の請求項６によれば、次のような効果がある。
微粒化手段は、筐体はセンサケースとこのセンサケースに鉛直方向に取り付けられたフードとを有し、このフードの開口端部分に設けられたので、センサの撮影機能を妨げることなく、液滴の滴下を容易に防止できる液滴下防止装置が得られる。
【００３９】
本発明の請求項７によれば、次のような効果がある。
液滴下防止装置がウエット部分の上方に配置されたので、紙製品を駄目にすることを防止できる液滴下防止装置を用いた抄紙機が得られる。
【００４０】
従って、本発明によれば、筐体の外表面に付着する液滴の滴下を安価に効率よく安定に防止出来る液滴下防止装置とこの液滴下防止装置を用いた抄紙機を実現することが出来る。
【図面の簡単な説明】
【図１】本発明の一実施例の要部構成説明図である。
【図２】図１の側面図である。
【図３】図１の下面から見た下面図である。
【図４】図１のＡ−Ａ断面図である。
【図５】図１の要部詳細説明図である。
【図６】図１の動作説明図である。
【図７】従来より一般に使用されている従来例の要部構成説明図である。
【符号の説明】
１１    微粒化手段
１１１  スリット
１１１  ノズル
１１２  隙間
１１３  偏向板
１２    筐体
１２１  カメラケース
１２２  フード
１２３  内側方向
１２４  外側方向
１３    気体供給手段
１３１  パイプ
１４    気体溜手段
Ａ      液滴
Ｂ      カメラ
Ｃ      紙表面
Ｄ      空気の流れ
Ｅ      微粒化
Ｍ      抄紙機
【図１】
2005013961.tif 000003
【図２】
2005013961.tif 000004
【図３】
2005013961.tif 000005
【図４】
2005013961.tif 000006
【図５】
2005013961.tif 000007
【図６】
2005013961.tif 000008
【図７】
2005013961.tif 000009